(57)【要約】【課題】携帯性のあるワイヤレス子機を利用したドアホンシステムにおいて内線番号の整合性を保つ技術を提供することを目的とする。【解決手段】親機２には各クレードル３と各ワイヤレス子機４の情報（ＩＰアドレス）と内線番号との対応テーブル６１が記憶されている。ユーザが子供部屋１に置かれている内線番号２のワイヤレス子機４をリビングのクレードル３に設置させると、そのクレードル３は新たに設置されたワイヤレス子機４の情報を確認する。クレードル３は自装置と対応するワイヤレス子機４の情報を保持しているため、新たに設置されたワイヤレス子機４の情報がそれと異なる場合には、ＬＡＮ５Ａを介してその設置状態の変化を親機２に通知する。親機２はその通知を受けて、対応テーブル６１を更新し、子供部屋１のクレードル３に設置されていたワイヤレス子機４の内線番号をリビングの内線番号１に変更する。【選択図】図７
2008028721.tif 000002
【特許請求の範囲】
【請求項１】
訪問者の訪問通知を受ける玄関子機と、
前記玄関子機と接続して訪問通知を受信する中継器と、
前記中継器と無線接続され、前記玄関子機との間で音声の送受信を行う複数のワイヤレス子機と、
各ワイヤレス子機を充電する複数の充電器と、
を備え、
前記中継器は、
各充電器の識別情報と各ワイヤレス子機の識別情報と内線番号とを対応付ける手段と、
第１ワイヤレス子機と第１内線番号とが対応付けられている第１充電器に、第２充電器と第２内線番号とが対応付けられている第２ワイヤレス子機が設置されたことを検知したとき、前記第１充電器と前記第２ワイヤレス子機と前記第１内線番号とを新たに対応付ける手段と、
を含むことを特徴とする無線ドアホンシステム。
【請求項２】
請求項１に記載の無線ドアホンシステムにおいて、
前記中継器は、
前記第２ワイヤレス子機と前記第１内線番号とを新たに対応付ける変更を行ったとき、他の充電器の中で前記第２充電器だけが唯一ワイヤレス子機が設置されていない状態であるならば、前記第１ワイヤレス子機と前記第２充電器と前記第２内線番号とを新たに対応付ける手段、
を含むことを特徴とする無線ドアホンシステム。
【請求項３】
請求項１に記載の無線ドアホンシステムにおいて、
前記中継器は、
前記第２ワイヤレス子機と前記第１内線番号とを新たに対応付ける変更を行ったとき、ワイヤレス子機が設置されていない状態にある充電器が複数存在するならば、前記第１ワイヤレス子機に内線番号無しの状態を対応付ける手段、
を含むことを特徴とする無線ドアホンシステム。
【請求項４】
請求項１に記載の無線ドアホンシステムにおいて、
前記中継器は、
前記第２ワイヤレス子機と前記第１内線番号とを新たに対応付ける変更を行ったとき、ワイヤレス子機が設置されていない状態にある充電器が複数存在するならば、充電器が設置されていない全てのワイヤレス子機について、内線番号無しの状態を対応付ける手段、
を含むことを特徴とする無線ドアホンシステム。
【請求項５】
請求項１ないし請求項４のいずれかに記載の無線ドアホンシステムにおいて、
各充電器は、対応付けられているワイヤレス子機とは異なるワイヤレス子機が設置された場合、前記中継器に対応付けの変更情報を通知する手段、
を含むことを特徴とする無線ドアホンシステム。
【請求項６】
請求項１ないし請求項４のいずれかに記載の無線ドアホンシステムにおいて、
前記中継器は、ワイヤレス子機が使用中である場合、当該ワイヤレス子機と内線番号との対応関係を変更しないことを特徴とする無線ドアホンシステム。
【請求項７】
請求項１ないし請求項４のいずれかに記載の無線ドアホンシステムにおいて、
各ワイヤレス子機は、
各ワイヤレス子機が備える表示部に現在対応付けられている内線番号の情報を表示する手段、
を含むことを特徴とする無線ドアホンシステム。
【請求項８】
請求項３または請求項４に記載の無線ドアホンシステムにおいて、
各ワイヤレス子機は、
内線番号無しの状態にある場合、各ワイヤレス子機が備える表示部に内線番号無しの状態にある旨の情報を表示する手段、
を含むことを特徴とする無線ドアホンシステム。
【請求項９】
請求項３または請求項４に記載の無線ドアホンシステムにおいて、
前記中継器は、
内線番号無しの状態にあるワイヤレス子機に呼び出し通知を行う手段、
を含み、
各ワイヤレス子機は、
前記中継器から呼び出し通知を受けた場合、周辺領域に所在を通知する通知手段、
を含むことを特徴とする無線ドアホンシステム。
【請求項１０】
請求項３または請求項４に記載の無線ドアホンシステムにおいて、
各ワイヤレス子機は、
内線番号無しの状態にあるワイヤレス子機の検索指示手段、
を含み、
前記中継器は、
前記検索指示手段により検索指示が行われたことに応答して、内線番号無しの状態にあるワイヤレス子機に呼び出し通知を行う手段、
を含み、
各ワイヤレス子機は、
前記中継器から呼び出し通知を受けた場合、周辺領域に所在を通知する通知手段、
を含むことを特徴とする無線ドアホンシステム。
【請求項１１】
請求項９または請求項１０に記載の無線ドアホンシステムにおいて、
前記通知手段は、
各ワイヤレス子機が備える表示部に検索中である旨の情報を表示させる手段、
を含むことを特徴とする無線ドアホンシステム。
【請求項１２】
請求項９または請求項１０に記載の無線ドアホンシステムにおいて、
前記通知手段は、
通知音により所在を知らせる手段、
を含むことを特徴とする無線ドアホンシステム。
【請求項１３】
請求項９または請求項１０に記載の無線ドアホンシステムにおいて、
前記通知手段は、
発光手段、
を含むことを特徴とする無線ドアホンシステム。
【請求項１４】
請求項９または請求項１０に記載の無線ドアホンシステムにおいて、
前記通知手段は、
各ワイヤレス子機を振動させる手段、
を含むことを特徴とする無線ドアホンシステム。
【発明の詳細な説明】
【技術分野】
【０００１】
本発明は、携帯性のあるワイヤレス子機を利用したドアホンシステムを管理する技術に関する。
【背景技術】
【０００２】
ドアホンシステムとは、訪問者が玄関に設置されているドアホン子機を用いて、訪問通知をすると、在宅者は部屋に設置されている親機または子機を用いて、訪問者に応答し、通話できるシステムである。また、親機と子機の間のみならず、子機が複数ある場合には、各部屋に子機を設置することにより、例えば１階の部屋にいるユーザと２階の部屋にいるユーザが移動せずに会話することができる。このようなシステムは、離れた部屋にいるユーザとの会話も可能にし、利便性が高い。
【０００３】
下記特許文献１の無線インターホンシステムは、ワイヤレス中継器、親機、子機等が、無線で接続されているシステムである。無線で接続されるため、親機や子機等の設置範囲が広がり、増設も容易になる。また、このシステムの親機や子機等は、ハンズフリーで通話できるため、ユーザは他の作業をしながら他の部屋にいるユーザと通話できる。しかし、親機、子機等は家の固定場所に設置されているため、ユーザの行動範囲が制限される。
【０００４】
そこで、無線ドアホンシステムにおいて、携帯可能なワイヤレス子機が考えられている。携帯可能なワイヤレス子機の使用により、ユーザの行動範囲が広がり、利便性が高まった。
【０００５】
【特許文献１】特開３７２１９８８号公報
【発明の開示】
【発明が解決しようとする課題】
【０００６】
携帯可能なワイヤレス子機により、ユーザの行動範囲が広がり利便性が高まった。また、複数の携帯可能なワイヤレス子機を使用することによって、ユーザは、行動範囲の制限を受けずに、ワイヤレス子機間で通話することが可能となった。
【０００７】
しかしながら複数の携帯可能なワイヤレス子機を使用する場合、ワイヤレス子機の携帯性から、ワイヤレス子機が最初に設置されていた充電器に戻されずに、他の充電器に置かれしまう可能性がある。例えば、１階のリビングにある充電器に設置されていたワイヤレス子機が、２階の子供部屋に運ばれ、子供部屋にある充電器に設置されるような場合である。この様な場合には、ユーザが１階のリビングのワイヤレス子機に内線呼び出しをすると、２階の子供部屋にあるワイヤレス子機に内線呼び出しがされてしまうため、ユーザが混乱する可能性がある。
【０００８】
そこで、本発明は前記問題点に鑑み、携帯性のあるワイヤレス子機を利用したドアホンシステムにおいて内線番号の整合性を保つ技術を提供することを目的とする。
【課題を解決するための手段】
【０００９】
上記課題を解決するため、請求項１記載の発明は、訪問者の訪問通知を受ける玄関子機と、前記玄関子機と接続して訪問通知を受信する中継器と、前記中継器と無線接続され、前記玄関子機との間で音声の送受信を行う複数のワイヤレス子機と、各ワイヤレス子機を充電する複数の充電器と、を備え、前記中継器は、各充電器の識別情報と各ワイヤレス子機の識別情報と内線番号とを対応付ける手段と、第１ワイヤレス子機と第１内線番号とが対応付けられている第１充電器に、第２充電器と第２内線番号とが対応付けられている第２ワイヤレス子機が設置されたことを検知したとき、前記第１充電器と前記第２ワイヤレス子機と前記第１内線番号とを新たに対応付ける手段と、を含むことを特徴とする。
【００１０】
請求項２記載の発明は、請求項１に記載の無線ドアホンシステムにおいて、前記中継器は、前記第２ワイヤレス子機と前記第１内線番号とを新たに対応付ける変更を行ったとき、他の充電器の中で前記第２充電器だけが唯一ワイヤレス子機が設置されていない状態であるならば、前記第１ワイヤレス子機と前記第２充電器と前記第２内線番号とを新たに対応付ける手段、を含むことを特徴とする。
【００１１】
請求項３記載の発明は、請求項１に記載の無線ドアホンシステムにおいて、前記中継器は、前記第２ワイヤレス子機と前記第１内線番号とを新たに対応付ける変更を行ったとき、ワイヤレス子機が設置されていない状態にある充電器が複数存在するならば、前記第１ワイヤレス子機に内線番号無しの状態を対応付ける手段、を含むことを特徴とする。
【００１２】
請求項４記載の発明は、請求項１に記載の無線ドアホンシステムにおいて、前記中継器は、前記第２ワイヤレス子機と前記第１内線番号とを新たに対応付ける変更を行ったとき、ワイヤレス子機が設置されていない状態にある充電器が複数存在するならば、充電器が設置されていない全てのワイヤレス子機について、内線番号無しの状態を対応付ける手段、を含むことを特徴とする。
【００１３】
請求項５記載の発明は、請求項１ないし請求項４のいずれかに記載の無線ドアホンシステムにおいて、各充電器は、対応付けられているワイヤレス子機とは異なるワイヤレス子機が設置された場合、前記中継器に対応付けの変更情報を通知する手段、を含むことを特徴とする。
【００１４】
請求項６記載の発明は、請求項１ないし請求項４のいずれかに記載の無線ドアホンシステムにおいて、前記中継器は、ワイヤレス子機が使用中である場合、当該ワイヤレス子機と内線番号との対応関係を変更しないことを特徴とする。
【００１５】
請求項７記載の発明は、請求項１ないし請求項４のいずれかに記載の無線ドアホンシステムにおいて、各ワイヤレス子機は、各ワイヤレス子機が備える表示部に現在対応付けられている内線番号の情報を表示する手段、を含むことを特徴とする。
【００１６】
請求項８記載の発明は、請求項３または請求項４に記載の無線ドアホンシステムにおいて、各ワイヤレス子機は、内線番号無しの状態にある場合、各ワイヤレス子機が備える表示部に内線番号無しの状態にある旨の情報を表示する手段、を含むことを特徴とする。
【００１７】
請求項９記載の発明は、請求項３または請求項４に記載の無線ドアホンシステムにおいて、前記中継器は、内線番号無しの状態にあるワイヤレス子機に呼び出し通知を行う手段、を含み、各ワイヤレス子機は、前記中継器から呼び出し通知を受けた場合、周辺領域に所在を通知する通知手段、を含むことを特徴とする。
【００１８】
請求項１０記載の発明は、請求項３または請求項４に記載の無線ドアホンシステムにおいて、各ワイヤレス子機は、内線番号無しの状態にあるワイヤレス子機の検索指示手段、を含み、前記中継器は、前記検索指示手段により検索指示が行われたことに応答して、内線番号無しの状態にあるワイヤレス子機に呼び出し通知を行う手段、を含み、各ワイヤレス子機は、前記中継器から呼び出し通知を受けた場合、周辺領域に所在を通知する通知手段、を含むことを特徴とする。
【００１９】
請求項１１記載の発明は、請求項９または請求項１０に記載の無線ドアホンシステムにおいて、前記通知手段は、各ワイヤレス子機が備える表示部に検索中である旨の情報を表示させる手段、を含むことを特徴とする。
【００２０】
請求項１２記載の発明は、請求項９または請求項１０に記載の無線ドアホンシステムにおいて、前記通知手段は、通知音により所在を知らせる手段、を含むことを特徴とする。
【００２１】
請求項１３記載の発明は、請求項９または請求項１０に記載の無線ドアホンシステムにおいて、前記通知手段は、発光手段、を含むことを特徴とする。
【００２２】
請求項１４記載の発明は、請求項９または請求項１０に記載の無線ドアホンシステムにおいて、前記通知手段は、各ワイヤレス子機を振動させる手段、を含むことを特徴とする。
【発明の効果】
【００２３】
本発明の無線ドアホンシステムでは、第１の内線番号を持つワイヤレス子機が、第２の内線番号と対応付けられている充電器に設置された場合、親機に登録されていた対応が更新され、ワイヤレス子機の内線番号が第２の内線番号に変更されるため、ユーザは各充電器と内線番号との対応付けから、ワイヤレス子機の内線番号を特定することができる。
【００２４】
また、ワイヤレス子機が１台だけ充電器に設置されていない場合には、充電器に設置されていないワイヤレス子機は、空いている充電器と対応付けられている内線番号を自動的に取得できる。
【００２５】
更に、ワイヤレス子機の表示部を見ることにより、現在のワイヤレス子機の内線番号を知ることができる。
【００２６】
また、ワイヤレス子機の表示部を見ることにより、現在、内線番号無しの状態にある旨を知ることができるので、当該ワイヤレス子機を充電器に戻すことで内線番号無しの状態を回避できる。
【００２７】
更に、充電器の検索釦を押すことにより、内線番号無しの状態にあるワイヤレス子機が通知音を発するので、当該ワイヤレス子機を見失った場合においても、その所在を知ることができる。
【００２８】
また、ワイヤレス子機の検索釦を押すことにより、内線番号無しの状態にあるワイヤレス子機が通知音を発するので、当該ワイヤレス子機を見失った場合においても、その所在を知ることができる。
【００２９】
更に、内線番号無しの状態にあるワイヤレス子機の検索の要求がある場合に、当該ワイヤレス子機が備える表示部にその旨を表示させることができるので、当該ワイヤレス子機を見つけた際に、その表示部を見ることによって検索の要求がある旨を知ることができる。
【００３０】
また、内線番号無しの状態にあるワイヤレス子機の検索の要求がある場合に、当該ワイヤレス子機を振動させることができるので、当該ワイヤレス子機が紙や布等の下に隠れている場合でも、その所在を知ることができる。
【００３１】
更に、内線番号無しの状態にあるワイヤレス子機の検索の要求がある場合に、当該ワイヤレス子機が発光するので、当該ワイヤレス子機が暗い場所にある場合でも、その所在を知ることができる。
【発明を実施するための最良の形態】
【００３２】
以下、図面を参照しつつ本発明の実施の形態について説明する。図１は本発明の実施の形態に係るドアホンシステムの利用イメージを示す図である。
【００３３】
このドアホンシステムは、図１に示すように玄関子機１、無線屋外カメラ１０と中継器２（親機）及びワイヤレス子機４で構成される。ワイヤレス子機４には充電器（クレードル）３が付随しており、ワイヤレス子機４を家の固定場所に置かれたクレードル３に設置することで充電が可能である。また、本発明の実施の形態では玄関子機１と親機２とは２線式信号線６で接続されているが、無線で接続されていてもよい。
【００３４】
訪問者（ユーザＡ）が玄関子機１の釦を押すと、親機２を介してワイヤレス子機４にユーザＡの映像が送られ、表示部４１に映像が表示されると同時に、「ピンポーン、ピンポーン」などと訪問を知らせる通知音が鳴らされる。ワイヤレス子機４が複数台ある場合、通知音は全てのワイヤレス子機４で一斉に鳴らされ、在宅者（ユーザＢ）は家中どこにいてもワイヤレス子機４を用いてユーザＡに応答し、通話が可能である。また、ユーザＢは、ワイヤレス子機４を操作することで、玄関子機１からの映像と無線屋外カメラ１０からの映像とをモニタリングすることができる。
【００３５】
更に、ワイヤレス子機４が複数台ある場合には、ワイヤレス子機４の間で内線呼び出し、内線通話が可能である。よって、最初にワイヤレス子機４でユーザＡに応答したユーザＢがすぐに玄関先に出られない場合には、他の在宅者（ユーザＣまたはＤ）に内線呼び出しを行い、ユーザＡへの応対を頼むこともできる。また、訪問者の有無に関わらず、ワイヤレス子機４の間で内線呼び出し、内線通話が可能であるので、例えば家の１階にいるユーザＣまたはＤが家の２階にいるユーザＢと話がしたいときに、ワイヤレス子機４を用いることで両者は移動せずに会話することができる。
【００３６】
図２はドアホンシステムの基本構成を示す図であり、玄関子機１と親機２と３台のワイヤレス子機４とクレードル３で構成されている。また、親機２とワイヤレス子機４とは無線ＬＡＮ５を利用して通信可能となっており、親機２とクレードル３とはＬＡＮ５Ａを利用して通信可能となっている。本発明の実施の形態では、クレードル３のＩＰアドレスと、ワイヤレス子機４のＩＰアドレスと、内線番号との対応が親機２に登録されている。
【００３７】
例えば図２に示すようにリビングに設置されているクレードル３のＩＰアドレス（192.168.0.4）と、ワイヤレス子機４のＩＰアドレス（192.168.0.5）と、内線番号１との対応が親機２に登録されている。また、子供部屋１に設置されているクレードル３のＩＰアドレス（192.168.0.3）と、ワイヤレス子機４のＩＰアドレス（192.168.0.6）と、内線番号２との対応も同様に親機２に登録されている。更に、子供部屋２のクレードル３のＩＰアドレス（192.168.0.2）と、ワイヤレス子機４のＩＰアドレス（192.168.0.7）と、内線番号３との対応も同様に親機２に登録されている。図３には親機２に登録されている対応テーブル６１の内容が示されている。
【００３８】
図２の基本構成における装置の機能ブロック図を図４に示す。玄関子機１は、スピーカー１１、マイク１２、操作部１３、撮像部１４、発光部１５、制御部１６、通信部１７を備えている。ユーザＡが操作部１３の呼出釦を押すと、撮像部１４がユーザＡを撮影し、制御部１６が通信部１７を介してユーザＡの動画像を親機２に送信する。通信部１７は親機２と２線式信号線６で接続するための端子を備えており、親機２と通信する。周辺が暗い場合には発光部１５の照明ＬＥＤ（発光ダイオード）が光り、ＣＣＤ（電荷結合素子）で構成される撮像部１４は夜間のユーザＡの動画像も鮮明に映しだすことができる。また、ユーザＢの応答を通信部１７を介して制御部１６が受信すると、ユーザＡはスピーカー１１からユーザＢの音声を聞くことができ、マイク１２を用いて音声を伝えることができるので、ユーザＢとの通話が可能となる。
【００３９】
親機２は玄関子機１と２線式信号線６で接続されており、電源部２１、通信部２２、制御部２３、外部入出力部２４、操作部２５を備えている。制御部２３は記憶部２３１を備えている。また、通信部２２は玄関子機１と２線式信号線６で接続するための端子と、ワイヤレス子機４と無線ＬＡＮ５で通信するためのアンテナ、及びクレードル３とＬＡＮ５Ａで接続するための端子を備えている。電源部２１は電池またはコンセントであり、親機２と玄関子機１に電力を供給する。制御部２３はユーザＡの訪問通知とユーザＡの動画像を玄関子機１から受け取ると、通信部２２を介してワイヤレス子機４に無線で通信し、ユーザＡの映像をワイヤレス子機４の表示部４１に表示させ、訪問を知らせる通知音を鳴らさせる。
【００４０】
記憶部２３１は、玄関子機１から送られてくるユーザＡの映像を動画で記憶することができる。記録された動画は、ワイヤレス子機４を用いて閲覧でき、また、外部入出力部２４においてメモリカードなどの記録メディアにコピーまたは直接パソコンに接続することによって、パソコンで閲覧することも可能である。このような機能があることにより、家の住人は、家に不在であっても訪問者Ａの様子を知ることができる。また、記憶部２３１には図３に示されているようなクレードル３のＩＰアドレスと、ワイヤレス子機４のＩＰアドレスと、内線番号との対応テーブル６１も記憶されている。
【００４１】
操作部２５は、外部入出力部２４におけるメモリカードの出し入れを操作する釦や、後に説明するワイヤレス子機４を検索する釦などが含まれている。
【００４２】
ワイヤレス子機４は、表示部４１、スピーカー４２、マイク４３、制御部４４、充電部４５、通信部４６、操作部４７、発光部４８、駆動部４９を備えている。制御部４４は記憶部４４１を備え、操作部４７は設定部４７１を備えている。また、表示部４１はＬＣＤ（液晶ディスプレイ）で構成されている。通信部４６は、親機２と無線ＬＡＮ５で通信するためのアンテナを備えている。
【００４３】
また、図５に示すように表示部４１の上端部４１１には、電池の残量や電波の状態及び内線番号１、２、３等の情報４１２が示されており、該当する番号が点灯する。この図の例では、内線番号１のアイコンがアクティブになっており、このワイヤレス子機４に設定されている内線番号が１であることがわかる。よって、ワイヤレス子機４の画面を見ることにより、現在の自装置の内線番号がわかる。
【００４４】
制御部４４は、玄関子機１から通知された呼び出し通知と、ユーザＡの動画像とを通信部４６を介して受信すると、表示部４１にユーザＡの動画像を表示させ、「ピンポーン、ピンポーン」などと訪問を知らせる通知音をスピーカー４２に鳴らさせる。それと同時に、制御部４４は、発光部４８のＬＥＤを点滅させる。設定部４７１では、訪問を知らせる振動（バイブレーション）の有無の設定や、通知音の音量や種類の変更設定、通話音の音量設定などを行うことができる。これらの設定は、記憶部４４１で記憶される。
【００４５】
訪問通知を受けたユーザＢは、操作部４７の応答釦を押し、マイク４３を用いて音声を伝えることでユーザＡと通話できる。また、操作部４７には後に説明するワイヤレス子機４を検索する釦も含まれている。ワイヤレス子機４をクレードル３に設置させると、充電部４５はクレードル３から電力を供給される。
【００４６】
クレードル３は電源部３１と充電部３２、通信部３３、制御部３４を備えている。通信部３３は親機２とＬＡＮ５Ａで接続するための端子を備えている。また、制御部３４は、記憶部３４１を含む。記憶部３４１は親機２から通知された対応テーブル６１の内容を全て記憶してもよいが、自装置に対応しているワイヤレス子機４のＩＰアドレスを記憶するだけでもよい。電源部３１は電池またはコンセントを示す。充電部３２は、ワイヤレス子機４がクレードル３に設置された際に、ワイヤレス子機４に電力を供給する。
【００４７】
ワイヤレス子機４の携帯性から、ワイヤレス子機４が最初に設置されていたクレードル３がある部屋から、他のクレードル３がある部屋へ持ち運ばれる場合がある。例えば、図６に示すように、リビングにあるクレードル３（192.168.0.4）に設置されていたワイヤレス子機４（192.168.0.5）が子供部屋１に運ばれ、子供部屋１にあるクレードル３（192.168.0.3）に設置されていたワイヤレス子機４（192.168.0.6）が、リビングに運ばれる様な場合である。なお、子供部屋２に設置されているワイヤレス子機４（192.168.0.7）の設置状態は変更しないものとする。
【００４８】
そして、図７に示すように、リビングに持ち運ばれたワイヤレス子機４（192.168.0.6）が、リビングにあるクレードル３（192.168.0.4）に設置されると、クレードル３（192.168.0.4）は新たに設置されたワイヤレス子機４のＩＰアドレスを確認する。つまり、通信部４６と通信部３３とは、ワイヤレス子機４とクレードル３とが直接データの送受信を行うことができるインタフェースを備えており、そのインタフェースを利用してクレードル３は設置されたワイヤレス子機４のＩＰアドレスを取得するのである。クレードル３は自装置と対応しているワイヤレス子機４のＩＰアドレスの情報を記憶部３４１に保持しているため、新たに設置されたワイヤレス子機４のＩＰアドレスがそれと異なる場合には、ＬＡＮ５Ａを介してワイヤレス子機４の設置状態の変化を親機２に通知する。そして親機２は、その通知を受けて、クレードル３（192.168.0.4）と設置されたワイヤレス子機４（192.168.0.6）と、内線番号１との新たな対応に関して、対応テーブル６１を更新する。
【００４９】
図７で示した様に、クレードル３に対するワイヤレス子機４の設置状態に変更があり、クレードル３に設置されていないワイヤレス子機４が１台のみ存在する場合には、空いているクレードル３とクレードル３に設置されていないワイヤレス子機４との対応が親機２に登録される。図７の場合には、クレードル３に設置されていないワイヤレス子機４（192.168.0.5)と子供部屋１にあるクレードル３（192.168.0.3）との対応が親機２に登録される。図８には、図７を参照して説明したワイヤレス子機４の設置状態変更後に親機２により更新された対応テーブル６１が示されている。なお、更新された対応テーブル６１の内容は、再度クレードル３に通知され、クレードル３の記憶部３４１内の対応情報も変更される。
【００５０】
図８と、元の対応を示した図３を見比べると、クレードル３（192.168.0.4）に設置されており、内線番号が１であったワイヤレス子機４（192.168.0.5)が、変更後にはクレードル３（192.168.0.3）に設置され、内線番号が２に変更されていることがわかる。逆に、クレードル３（192.168.0.3）に設置されており、内線番号が２であったワイヤレス子機４（192.168.0.6)が、変更後にはクレードル３（192.168.0.4）に設置され、内線番号が１に変更されている。クレードル３（192.168.0.2）に設置されているワイヤレス子機４（192.168.0.7）の設置状態には変更がないので、対応も図３で示した対応と同じである。
【００５１】
上記の様な変更が行われた場合、内線番号の変更が行われたワイヤレス子機４の表示部４１に表示されている内線番号の情報４１２も変更される。
【００５２】
ここで、ワイヤレス子機４の設置状態の変化で変更するのは、ワイヤレス子機４の内線番号であり、内線番号とクレードル３の対応は変更されない。つまり、リビングにあるクレードル３（192.168.0.4）に設置されていたワイヤレス子機４（192.168.0.5）の代わりにワイヤレス子機４（192.168.0.6)が設置された場合でも、他の部屋にいるユーザは、リビングにいるユーザに、同じ内線番号を使って内線呼び出しをすることができるのである。
【００５３】
次に、クレードル３に対するワイヤレス子機４の設置状態に変更があり、複数台のワイヤレス子機４がクレードル３に設置されていない場合について説明する。例えば変更前の状態としては、図２に示したように３台のワイヤレス子機４とクレードル３が各部屋に設置されていた場合を考える。このとき、親機２には図３で示したワイヤレス子機４とクレードル３と内線番号との対応テーブル６１が記憶されている。そして図９に示すように３台のワイヤレス子機４のうち、子供部屋１と子供部屋２のクレードル３に設置されていたワイヤレス子機４がクレードル３に設置されていない状態で、リビングのクレードル３に設置されていたワイヤレス子機４が、子供部屋２のクレードル３に設置された場合を考える。
【００５４】
図９において、リビングのクレードル３に設置されていたワイヤレス子機４（192.168.0.5）が子供部屋２のクレードル３（192.168.0.2）に設置されると、クレードル３は新たに設置されたワイヤレス子機４のＩＰアドレスを確認する。クレードル３（192.168.0.2）は自装置と対応しているワイヤレス子機４のＩＰアドレス（192.168.0.7）の情報を記憶部３４１に保持しているため、新たに設置されたワイヤレス子機４のＩＰアドレスがそれと異なる場合には、ＬＡＮ５Ａを介してワイヤレス子機４の設置状態の変化を親機２に通知する。親機２はその通知を受けて登録されていた対応テーブル６１（図３）を、図１０のように変更する。
【００５５】
図１０に示すように、リビングのクレードル３に設置されていたワイヤレス子機４（192.168.0.5）には内線番号３が割り当てられ、変更前に内線番号３であったワイヤレス子機４（192.168.0.7）には、内線番号無しの状態が割り当てられる。なお、内線番号２であるワイヤレス子機４（192.168.0.6）はクレードル３に設置されていない状態にあっても、他のワイヤレス子機４に内線番号２が割り当てられない限り、同じ内線番号を保つ。
【００５６】
このように、ある内線番号のワイヤレス子機４がクレードル３に設置されていない状態で、その内線番号が他のワイヤレス子機４に割り当てられた場合には、変更前にその内線番号であったワイヤレス子機４に内線番号無しの状態が割り当てられる。また、内線番号無しの状態にあるワイヤレス子機４の画面には、図５で示した自装置の内線番号を表示する部分４１２の番号１、２、３等は、点灯しない。つまり、いずれのアイコンもアクティブにならない。
【００５７】
内線番号無しの状態が割り当てられたワイヤレス子機４は、親機２における操作部２５に含まれる検索釦８を押すことにより検索可能である。親機２における検索釦８が押されると、図１０に示した対応が調べられ、内線番号無しの状態にあるワイヤレス子機４に呼び出し通知が送られる。これに応答して呼び出されたワイヤレス子機４は所定時間、「ピーッ、ピーッ」などと呼び出し音を鳴らして、所在を知らせる。このとき、呼び出し音と共に発光部４８のＬＥＤを点滅させる機能や、駆動部４９によりバイブレーションを発生させてもよい。また、呼び出しがある旨をワイヤレス子機４の画面に表示させてもよい。または、呼び出し音の代わりにそれらの機能をワイヤレス子機４に持たせてもよい。
【００５８】
なお、図１１に示すように内線番号無しの状態が割り当てられたワイヤレス子機４の検索は、ワイヤレス子機４の操作部４７に含まれる検索釦９を押すことによっても行われる。親機２による検索と同様に、ワイヤレス子機４の検索釦９が押されると、親機２に呼び出しの指示命令が通知され、親機２が内線番号無しの状態にあるワイヤレス子機４を呼び出す。呼び出されたワイヤレス子機４は所定時間、「ピーッ、ピーッ」などと呼び出し音を鳴らして、所在を知らせる。このとき、呼び出し音と共に発光部４８のＬＥＤを点滅させる機能や、駆動部４９によりバイブレーションを発生させてもよい。また、呼び出しがある旨をワイヤレス子機４の画面に表示させてもよい。
【００５９】
図９において内線番号無しの状態が割り当てられたワイヤレス子機４（192.168.0.7）が呼び出されると、ユーザはワイヤレス子機４（192.168.0.7）の所在を知り、空いているクレードル３に戻すことができる。例えばワイヤレス子機４（192.168.0.7）が子供部屋１のクレードル３に戻されると、クレードル３（192.168.0.3）はその旨を親機２に通知し、ワイヤレス子機４（192.168.0.7）には内線番号２が割り当てられる。
【００６０】
また、図９においてクレードル３に設置されていない２台のワイヤレス子機４に内線番号無しの状態を割り当ててもよい。このときには図１２に示されるような対応テーブル６１が親機２に再登録される。つまり、ある内線番号が割り当てられていたワイヤレス子機４がクレードル３に設置されていない状態で、その内線番号が他のワイヤレス子機４に割り当てられている状態で、クレードル３に設置されていないワイヤレス子機４が複数台ある場合には、それら複数のワイヤレス子機４を全て内線番号無しの状態にするのである。
【００６１】
このように内線番号無しの状態にあるワイヤレス子機４が複数台ある場合には、親機２の検索釦８またはワイヤレス子機４の検索釦９の押釦によって、それらは一斉に呼び出される。
【００６２】
このようにして、ユーザは親機２の検索釦８またはワイヤレス子機４の検索釦９を押すことで、内線番号無しの状態にあるワイヤレス子機４の呼び出し音を鳴らさせ、能動的にワイヤレス子機４の所在を知ることができ、クレードル３に戻すことができる。ワイヤレス子機４がクレードル３に戻されると、部屋毎に定まった内線番号が割り当てられるため、ユーザは混乱することなく、他の部屋にいるユーザに内線電話をかけることが可能となる。
【００６３】
なお、ワイヤレス子機４が使用中である場合、そのワイヤレス子機４の内線番号は変更されない。つまり本発明の実施の形態で説明してきたワイヤレス子機４とクレードル３と内線番号との対応関係の変更は、ワイヤレス子機４が使用中でない場合に行われる。
【００６４】
また、本発明の実施の形態では、ワイヤレス子機４とクレードル３の識別情報にＩＰアドレスを用いたが、識別情報はＩＰアドレスに限定されるものではない。例えば、ＩＰアドレスの代わりに個体識別子などで識別するようにしてもよい。また、本発明の実施の形態においては、クレードル３と親機２とは有線のＬＡＮで接続される形態となっているが、クレードル３が親機２と無線ＬＡＮで接続される形態であってもよい。
【図面の簡単な説明】
【００６５】
【図１】本発明の実施の形態に係るドアホンシステムの利用イメージを示す図である。
【図２】本発明の実施の形態に係るドアホンシステムの基本構成を示す図である。
【図３】親機に登録されたＩＰアドレスと内線番号との対応テーブルを示す図である。
【図４】本発明の実施の形態に係る装置の機能ブロック図である。
【図５】ワイヤレス子機の画面を示す図である。
【図６】ワイヤレス子機が設置されていたクレードルがある部屋から他のクレードルがある部屋へ持ち運ばれた様子を示す図である。
【図７】ワイヤレス子機が１台だけクレードルに設置されていない様子を示す図である。
【図８】更新された対応テーブルを示す図である。
【図９】内線番号無しの状態にあるワイヤレス子機が親機から呼び出される様子を示す図である。
【図１０】内線番号無しの状態を含む対応テーブルを示す図である。
【図１１】内線番号無しの状態にあるワイヤレス子機が他のワイヤレス子機から呼び出される様子を示す図である。
【図１２】更新された対応テーブルを示す図である。
【符号の説明】
【００６６】
１            玄関子機
２            親機
３            クレードル
４            ワイヤレス子機
５、５Ａ      ＬＡＮ
６            ２線信号線
８、９        ワイヤレス子機検索釦
【図１】
2008028721.tif 000003
【図２】
2008028721.tif 000004
【図３】
2008028721.tif 000005
【図４】
2008028721.tif 000006
【図５】
2008028721.tif 000007
【図６】
2008028721.tif 000008
【図７】
2008028721.tif 000009
【図８】
2008028721.tif 000010
【図９】
2008028721.tif 000011
【図１０】
2008028721.tif 000012
【図１１】
2008028721.tif 000013
【図１２】
2008028721.tif 000014